(57)【要約】【課題】  芯材として体圧分散性に優れるが、蒸れやすい低反発ポリウレタンフォームを使用するにもかかわらず、通気性に優れ、クッション材の温度上昇や蒸れを抑制することができるとともに、汗等により汚れた際には簡単に洗濯可能なクッション材を提供する。【解決手段】低反発ポリウレタンフォームの芯材のカバー材として、蒸れ等を抑制する通気性を有し、さらに洗濯可能な通水性を備えた素材からなるカバー材を設けたカバー付きクッション材とする。【選択図】図３
2019208970.tif 000002
【特許請求の範囲】
【請求項１】
少なくとも芯材として低反発ポリウレタンフォームと、芯材を被覆するカバーとからなり、
前記カバーは、通気性・通水性を備えることを特徴とするカバー付きクッション材
【請求項２】
前記カバーの身体接触面の少なくとも一部を無膜ポリウレタンフォームで構成されていることを特徴とする請求項１に記載のカバー付きクッション材
【請求項３】
前記カバーの身体接触面以外の少なくとも一部が伸縮性の素材からなることを特徴とする請求項１〜２に記載のカバー付きクッション材
【発明の詳細な説明】
【技術分野】
【０００１】
本発明は、クッション、マットレス、座布団、枕等に使用することができるカバー付きクッション材に関する。
【背景技術】
【０００２】
従来、クッション、マットレス、座布団、枕等（以下、クッション材等とする）の芯材として、ポリウレタンフォームが広く知られている。ポリウレタンフォームは頭部、胴部、腰部等（以下、頭部等とする）にぴったりとフィットし、クッション性において非常に良好であるため汎用されている。しかしその一方、ポリウレタンフォームは通気性が悪く、夏などの気温の高い季節では荷重のかかる頭部等が蒸れて寝苦しかった。特に近年よく使用されている低反発ポリウレタンフォームにおいては、上記欠点が顕著であった。さらに低反発ポリウレタンフォームは温度上昇に伴い本来の特徴である低反発性が低下する等の欠点もあった。
【０００３】
低反発ポリウレタンフォームの通気性が悪く、蒸れることを解消する手段として、頭部等の熱や湿気を吸収放散させるために、例えば低反発ポリウレタンフォームの表皮層に無膜ポリウレタンフォームを用いる枕（特許文献１）が知られている。
【０００４】
しかしながら、前記枕は通気性に関しては改善されるが、無膜ポリウレタンフォームを積層した低反発ポリウレタンフォームでは、汗や汚れ等（以下、汗等とする）のために洗濯をすると、低反発ポリウレタンフォームは通水性に乏しいため、フォーム内に水分が保持されるため、乾燥に長い時間がかかり、洗濯することが困難であった。
【先行技術文献】
【特許文献】
【０００５】
【特許文献１】特開平７−６７７５７号公報
【発明の概要】
【発明が解決しようとする課題】
【０００６】
本発明は上記の問題点を鑑みてなされたもので、本発明の課題は芯材として低反発ポリウレタンフォームを使用するにもかかわらず、通気性に優れ、クッション材の温度上昇や蒸れを抑制することができるとともに、汚れた際に洗濯可能な通水性を有し、枕やマットレス等に使用できるカバー付きクッション材を提供することである。
【課題を解決するための手段】
【０００７】
本発明は、芯材となる低反発ポリウレタンフォームの身体接触部の少なくとも一部に通気性・通水性を備えたカバー材を設けることにより、使用時に通気性に優れるとともに、汗等付着した際に、芯材である低反発ポリウレタンフォームからカバーを取り外し、カバーが洗濯可能な通水性に優れる、カバー付きクッション材を提供することができる。
【０００８】
すなわち、本発明の請求項１に記載の発明は、少なくとも芯材として低反発ポリウレタンフォームと、芯材を被覆するカバーとからなり、
前記カバーは、通気性・通水性を備えることを特徴とするカバー付きクッション材である。
【０００９】
また、本発明の請求項２に記載の発明は、前記カバーの身体接触面の少なくとも一部を無膜ポリウレタンフォームで構成されていることを特徴とする請求項１に記載のカバー付きクッション部材である。
【００１０】
また、本発明の請求項３に記載の発明は、前記カバーの身体接触面以外の少なくとも一部が伸縮性の素材からなることを特徴とする請求項１〜２に記載のカバー付きクッション材である。
【発明の効果】
【００１１】
以上の説明のように、本発明のカバー付きクッション材は芯材として低反発ポリウレタンフォームを使用するにもかかわらず、芯材を被覆するカバーを通気性、通水性を有するカバーとすることで、使用時にはカバーの通気性が優れるため、クッション材の温度上昇や蒸れを抑制することができる。また、従来技術のようにカバーの通気性を有する部分が芯材と直接接着されていないため、カバーの通気性を有する部分と芯材の間に空間ができるため、通気性はさらに向上する。また、汗等でカバーが汚れた際には、カバー自体に通水性があるため、カバーを芯材から取り外して、洗濯することができる。
【００１２】
また、本発明のカバー付きクッション材のカバーの身体接触面の少なくとも一部を無膜ポリウレタンフォームとしたものは、通気性・通水性に加え、ウレタンフォーム由来のクッション性を付与できる。
【００１３】
また、本発明のカバー付きクッション材のうち、カバーの身体接触部以外の部分が伸縮性の素材からなると、芯材をカバーに挿入した際に、シワやたるみ等発生せず、カバーとクッション材の間に隙間があるため、通気性も良好に保たれるカバー付きクッション材とすることができる。
【図面の簡単な説明】
【００１４】
【図１】カバー付クッション材の実施の形態の一例を示す外観斜視図である。
【図２】第一使用形態のカバー付きクッション材の幅方向の断面図である。
【図３】第二使用形態のカバー付きクッション材の幅方向の断面図である。
【発明を実施するための最良の形態】
【００１５】
以下、図面に基づいて本発明を詳しく説明する。なお、本発明は以下の実施形態に限定されるものではない。
【００１６】
図１は本発明の第一実施形態におけるカバー付きクッション材１の外観斜視図である。また、図２は第一のカバー付きクッション材１の幅方向の断面図である。
【００１７】
本発明のカバー付きクッション材１は、図２の第一使用形態の断面図に示すように、低反発ポリウレタンフォームの芯材１０と、芯材１０の周囲を通気性、通水性のカバー２０からなる。カバー２０のうち、身体接触面の少なくとも一部が通気性・通水性の素材２１が使用される。カバー２０の側面部分はチャック付き開口部３０があり、芯材１０の出し入れが可能である。
【００１８】
芯材１０としては、体圧分散性、感触等の観点から公知のものからなり、反発弾性率が１５％未満、硬さが２０〜１００Ｎ、密度が３０〜１００ｋｇ／ｍ３、圧縮残留歪が１〜１０％（物性値は何れもＪＩＳ Ｋ ６４００に従う。）の低反発ポリウレタンフォームが好ましい。
【００１９】
芯材１０の形状としてはクッション材として機能する形状であればよく、略直方体型、略円盤型、上面をプロファイル加工したもの、身体形状に合わせたもの等があるが、特に限定されない。
【００２０】
カバー２０の身体接触面には、通気性・通水性に優れる素材２１を用いる。通気性・通水性に優れる素材２１としては、織物、編物、不織布、パイル生地、ダブルラッセル加工したものや、通気性・通水性を付与したポリウレタンフォーム等の発泡材を用いることができる。
【００２１】
カバー２０に用いる通気性・通水性に優れる素材２１の通気性は、ＪＩＳ  Ｋ  ６４００−７  Ｂ法（フラジール式通気量）による通気量が１００ｍｌ／ｃｍ２／ｓ以上であることが好ましい。通気量が１００ｍｌ／ｃｍ２／ｓ未満では、十分な通気性がなく、使用時のカバー２０や芯材１０の低反発ポリウレタンフォームの温度上昇や、身体接触部の蒸れを感じることがある。特に好ましくは、通気量が２００ｍｌ／ｃｍ２／ｓ以上である。
カバー２０に用いる通気性・通水性に優れる素材２１の通水量は、家庭用洗濯機で洗濯脱水後、温度２５℃、湿度５０％における乾燥時間が８時間以下であることが好ましい。乾燥時間が８時間以下であれば、日常での使用が可能である。さらに好ましくは、乾燥時間が５時間以下である。
【００２２】
本発明のカバー付きクッション材１のカバー２０は芯材１０の少なくとも身体接触面にあればいい。
カバー２０と芯材１０は、袋状のカバー２０に開口部を設け、芯材１０を挿入し、取り外し可能としてもよい。また、身体接触面である芯材１０表面のみカバー２０を被覆し、カバー端部に紐やバンド等を取り付けることで芯材１０を固定してもよい。
【００２３】
以上のような構成の第一使用形態のカバー付きクッション材１によれば、通気性・通水性のあるカバー２０が芯材１０と直接接着されていないため、身体接触面の蒸れを抑制し、カバー２０や芯材１０の温度上昇を少なくすることができる。また、汚れた際は、カバー２０を取り外し、洗濯することで清潔感を保つことができる。
【００２４】
本発明のカバー付きクッション材１のカバー２０の第二の実施形態として、カバー２０に通気性・通水性の素材２１として無膜ポリウレタンフォーム２２を用いることができる。
【００２５】
無膜ポリウレタンフォーム２２は、ウレタン骨格中の気泡の連通化が図られたポリウレタンフォームであり、この無膜ポリウレタンフォーム２２は成型後のポリウレタンフォームを、爆破法、クラッシング法、アルカリ処理法、等によって除膜処理を施すことにより、得ることができる。
【００２６】
無膜ポリウレタンフォーム２２は洗濯乾燥の際に十分な通水性を有するために、セル数が５〜５０個/２５ｍｍであることが好ましい。セル数が１０個/２５ｍｍ未満の場合は、セルサイズが大きすぎ、通水性はあるが、使用時の汚れが、芯材１０まで浸透してしまう可能性や、クッション性が悪くなる可能性がある。また、セル数が５０個/２５ｍｍを超えるとセルサイズが小さくなり、十分な通水性を付与することができない。洗濯乾燥後の時間の短縮とクッション性を付与するため、特に好ましくは、セル数が１０〜４０個/２５ｍｍである
【００２７】
無膜ポリウレタンフォームの密度は、３０〜１００ｋｇ/ｍ３、４０％圧縮硬さは２０〜１００Ｎであることが好ましい。密度、４０％圧縮硬さがこの範囲内であると、通気性、通水性に加え、クッション性、身体接触時の触感がよいため、好ましい。密度が３０ｋｇ/ｍ３未満、４０％圧縮硬さが２０Ｎ未満では、身体接触時の触感が柔らかいが、身体の自重で無膜ポリウレタンフォーム２２が沈んでしまい、底付き感があったり、その結果、通気性が悪くなる。また、強度不足のため、繰り返しの使用で、無膜ポリウレタンフォーム２２がへたる恐れがある。また、密度が１００ｋｇ/ｍ３、４０％圧縮硬さが１００Ｎ以上では、身体接触時の触感が硬く、体圧分散性が悪くなってしまう。
【００２８】
無膜ポリウレタンフォーム２２の厚みは５〜２０ｍｍが好ましい。厚みが５ｍｍ未満では、洗濯後の乾燥は速いが、身体接触時に無膜ポリウレタンフォーム２２が潰れてしまい、底付き感を感じる恐れがあり、十分な通気性が得られない。また、汚れが付着した際に、その汚れが、芯材まで浸透してしまう恐れがある。
厚み２０ｍｍを超えると、通水性はあるが、汚れが無膜ポリウレタンフォーム内部から取り除けなかったり、洗濯後の乾燥に時間がかかるため好ましくない。
洗濯乾燥後の時間の短縮とクッション性を付与するため特に好ましくは、５〜１５ｍｍである。
【００２９】
無膜ポリウレタンフォーム２２のＪＩＳ  Ｋ  ６４００−７  Ｂ法（フラジール式通気量）による通気量は１００ｍｌ／ｃｍ２／ｓ以上であることが好ましい。通気量が１００ｍｌ／ｃｍ２／ｓ未満では、十分な通気性がなく、使用時のカバー材や芯材の軟質ウレタンフォームの温度上昇や、身体接触部の蒸れを感じることがある。
無膜ポリウレタンフォーム２２の通水量は、洗濯後の乾燥試験において、温度２５℃、湿度５０％における乾燥時間が８時間以下であることが好ましい。乾燥時間が８時間以下であれば、日常での使用が可能である。さらに好ましくは、乾燥時間が５時間以下である。
【００３０】
カバー２０の無膜ポリウレタンフォーム２２表面は基布２３で覆われていてもよい。基布２３としては、特に限定されないが、編布、織布、不織布、パイル生地等を単独で又は組み合わせて使用することができる。
【００３１】
カバー２０は、無膜ポリウレタンフォーム２２と基布２３で構成されているが、基布２３は無膜ポリウレタンフォーム２２の表裏面いづれか一方に積層しても、表裏面ともに積層してもよい。無膜ポリウレタンフォーム２２の表裏面に基布２３があると、使用時の汚れが基布２２の表面に留まり、無膜ポリウレタンフォーム２２内部へ浸透しづらくなるため、好ましい。また、身体接触時の触感やカバー２０へ芯材１０の低反発ポリウレタンフォームを挿入する際に、抵抗が少なくなり挿入しやすくなることから、芯材の表裏面に基布が積層されていることが好ましい。
ウレタンフォーム２２と基布２３の積層方法としては、ラミネートや縫製によるキルティング加工手段があるが、特に限定されない。
【００３２】
カバー２０の基布２３と無膜ポリウレタンフォーム２２を積層させる他の方法としては、袋状の基布２３の側面、又は、裏面に開口部を設け、無膜ポリウレタンフォーム２２を挿入する方法がある。開口部には、ファスナーを取り付け、取り外し可能としてもよい。
【００３３】
以上のように、第二の実施形態におけるカバー付きマットレス材１は通気性・通水性に優れ、さらにクッション性と身体接触時の触感に優れるものを提供することができる。
【００３４】
本発明のカバー付クッション材１のカバー２０の第三の実施形態として、基布２１は、少なくとも芯材１０の側面または、底面の対応する側が伸縮性の素材からなることは好ましい。基布２１に伸縮性素材があると、シワやたるみが入らず、寝返りを打ったときなどに肩幅方向の移動が比較的自由で、身体接触時の触感が柔らかで、特にカバーの肌触りの良さが引き立つ。なお、伸縮性素材としては経編み又は緯編みのジャージ生地、パワーネットのような弾性糸混紡編物、ダブルラッセル生地等の立体編物等の編布、織布、不織布、パイル生地等を単独で又は組み合わせて使用することができる。具体的な素材としては、綿、毛、ウール、レーヨン、ポリアクリル、ポリアミド、ポリエステル、ポリウレタン、ポリ塩化ビニリデン等の繊維を適宜組み合わせてなるが使用できる。
【００３５】
以上のように、第三の実施形態におけるカバー付マットレス材１は通気性、通水性に優れ、さらにクッション性と身体接触時の触感に優れるものを提供することができる。
【産業上の利用可能性】
【００３６】
本件発明のカバー付クッション材１は、芯材１０として低反発ポリウレタンフォームを使用しているのにもかかわらず、通気性・通水性のあるカバー２０を用いることで、使用時には通気性が保たれており、さらに、洗濯時には、通水性のあるカバー２０が取り外し可能となっているためカバーのみを洗濯・乾燥することができるため、クッションやマットレス、枕等に好適である。
【符号の説明】
【００３７】
１      カバー付きクッション材
１０    芯材
２０    カバー
２１    通気性・通水性の素材
２２    無膜ポリウレタンフォーム
２３    基布
３０    チャック付き開口部
【図１】
2019208970.tif 000003
【図２】
2019208970.tif 000004
【図３】
2019208970.tif 000005